(57)【要約】【課題】ゴースト等の発生を抑制することができる、光学素子および光学ユニットを提供する。【解決手段】少なくとも１つ以上の光学素子で構成される光学ユニットであって、少なくともいずれか１つの光学素子１５、２５において、入射した光を屈折させるための光学機能面と、光学機能面より外側の面に形成されて入射した光の内部反射による反射光を散乱させるための粗面１９、２９と、が設けられた光学ユニットが提供される。かかる構成によれば、光学素子に入射した光であって、光学機能面より外側の面で内部反射することによりゴースト等を発生させる光が光学機能面より外側の面に形成された粗面により散乱されるので、ゴースト等の発生が抑制される。また、かかる粗面が設けられた光学素子により光学ユニットが構成されるので、光学ユニットにおけるゴースト等の発生が抑制される。【選択図】図１
2008175991.tif 000002
【特許請求の範囲】
【請求項１】
入射した光を屈折させるための光学機能面と、前記光学機能面より外側の面に形成されて前記入射した光の内部反射による反射光を散乱させるための粗面と、が設けられたことを特徴とする光学素子。
【請求項２】
前記光学機能面より外側にフランジ部を有し、前記粗面が前記フランジ部を構成する面に設けられることを特徴とする、請求項１に記載の光学素子。
【請求項３】
前記粗面が十点平均粗さ（Ｒｚ）４μｍ以上および２５μｍ以下で形成されることを特徴とする、請求項１または２に記載の光学素子。
【請求項４】
ガラスで形成されることを特徴とする、請求項１〜３のいずれかに記載の光学素子。
【請求項５】
プラスチックで形成されることを特徴とする、請求項１〜３のいずれかに記載の光学素子。
【請求項６】
少なくとも１つ以上の光学素子で構成される光学ユニットであって、少なくともいずれか１つの前記光学素子において、入射した光を屈折させるための光学機能面と、前記光学機能面より外側に形成されて前記入射した光の内部反射による反射光を散乱させるための粗面と、が設けられたことを特徴とする光学ユニット。
【発明の詳細な説明】
【技術分野】
【０００１】
本発明は、光学素子および光学ユニットに関する。
【背景技術】
【０００２】
近年の光学ユニットの小型軽量化および多機能化に伴い、光学ユニットに用いられる様々な光学レンズが開発されている。例えば、カメラ機能付き携帯電話や車両用の後方モニタに用いられる光学ユニットでは、標準レンズの画角（約４５°〜５０°）以上の画角を有する広角レンズが多用されている。特に、携帯電話に用いられる光学ユニットでは、携帯電話機器の薄型化に伴い、従来の広角レンズにはない広い画角を有する広角レンズが用いられている。
【０００３】
このため、従来の広角レンズに比して大きな入射角を伴う意図しない光が光学レンズに入射し、光学レンズ、光学ユニットおよび光学機器内等で反射することで、ゴーストやフレア等が発生する場合がある。ゴーストが発生すると、結像に寄与する光により、物体の偽りの像または多重の像が光学ユニットを通して観察される。また、フレアが発生すると、結像に寄与しない光により、本来の像のコントラストが低下したり、カラー写真では色の濁りが生じたりする。
【０００４】
一方、光学レンズに要求される加工精度の向上により、光学レンズの光学機能面より外側の面が光学機能面と同程度の精度で加工されることで、光学レンズに入射した光の内部反射が助長され、ゴースト等が発生する一因ともなっている。ここで、光学レンズの光学機能面とは、光学レンズの有効径（光軸上の無限遠点から出て光学レンズを通過すべき平行光線束の、光軸に垂直な断面の直径）の範囲を含む外側までの範囲を示しており、有効径の範囲のみを対象とする成形では、光学レンズとしての機能を実現するための設計形状に従って加工することが困難であるため、有効径の範囲とともに光学レンズとしての機能を実現するための所定の設計形状に従って成形される範囲を意味する。
【０００５】
この種の問題を解消するために、例えば下記特許文献１には、以下のような解消策が記載されている。第１の解消策として、レンズ面を囲うような遮光板をレンズ面前方に突出させる、またはレンズ面を囲うような凹面内に光学レンズを配置することにより、遮光板や凹面で遮られた部分からの光の入射を遮ることが提案されている。第２の解消策として、レンズ面の遮光を要する部分に遮光性膜を形成することにより、遮光性膜を形成した部分からの光の入射を遮ることが提案されている。第３の解消策として、例えばレンズアレイへの適用では、光学レンズの遮光を要するレンズ隣接部に粗面部を形成することにより、粗面部で光を散乱させ、粗面部を形成した部分からの光の入射を遮ることが提案されている。
【０００６】
【特許文献１】特開２００２−３０３７０３号公報
【発明の開示】
【発明が解決しようとする課題】
【０００７】
しかしながら、第１の解消策では、遮光板や凹面を形成するための追加部品に伴い製造コストが増加するとともに、光学ユニットの薄型化・軽量化の要求に反する結果となる。第２または第３の解消策は、レンズ面の遮光を要する部分から入射する光を遮るものであるが、ゴースト等の原因となる大きな入射角を伴う光がレンズの有効径内に入射する場合には、意図しない光とともに本来の結像に必要とされる光をも遮ることになるため望ましくない。よって、光学レンズに入射する光を制御するのみでは、この種の問題を十分に解消することができない。
【０００８】
このため、光学レンズに入射する光を制御する代わりに、またはそれとともに、光学レンズに入射した光の内部反射を制御する方法が適用される。例えば、入射光が内部反射する、光学機能面より外側の面に、反射防止膜を形成することが考えられる。この方法では、射出成形、プレス成形等により成形された光学レンズの光学機能面より外側の面に印刷、フィルム接着、蒸着または露光等により反射防止膜が形成される。しかし、印刷やフィルム接着では形成される反射防止膜の精度が低く品質管理が困難である一方、蒸着や露光では形成に際して製造コストが増加する。また、いずれの方法でも、光学レンズ成形後の二次処理を要することになるので、製造工程の複雑化、製造コストの増加が避けられない。
【０００９】
本発明は上記問題点に鑑みてなされたものであり、その目的は、ゴースト等の発生を抑制することができる、新規かつ改良された、光学素子および光学ユニットを提供することにある。
【課題を解決するための手段】
【００１０】
上記課題を解決するために、本発明のある観点によれば、入射した光を屈折させるための光学機能面と、光学機能面より外側の面に形成されて入射した光の内部反射による反射光を散乱させるための粗面と、が設けられた光学素子が提供される。かかる構成によれば、光学素子に入射した光であって、光学機能面より外側の面で内部反射することによりゴースト等を発生させる光が光学機能面より外側の面に形成された粗面により散乱されるので、ゴースト等の発生が抑制される。
【００１１】
また、上記光学機能面より外側にフランジ部を有し、粗面がフランジ部を構成する面に設けられるようにしてもよい。かかる構成によれば、フランジ面で内部反射することによりゴースト等を発生させる光がフランジ部に形成された粗面により散乱される
【００１２】
また、上記粗面が十点平均粗さ（Ｒｚ）４μｍ以上および２５μｍ以下で形成されるようにしてもよい。かかる構成によれば、光学機能面より外側に十分な粗さの粗面が形成されるので、光学機能面より外側の面で内部反射する光が粗面により十分に散乱される。
【００１３】
また、上記光学素子がガラスで形成されるようにしてもよい。かかる構成によれば、ゴースト等の発生が抑制されたガラスからなる光学素子が形成される。
【００１４】
また、上記光学素子がプラスチックで形成されるようにしてもよい。かかる構成によれば、ゴースト等の発生が抑制されたプラスチックからなる光学素子が形成される。
【００１５】
また、本発明の他の観点によれば、少なくとも１つ以上の光学素子で構成される光学ユニットであって、少なくともいずれか１つの光学素子において、入射した光を屈折させるための光学機能面と、光学機能面より外側の面に形成されて入射した光の内部反射による反射光を散乱させるための粗面と、が設けられた光学ユニットが提供される。かかる構成によれば、光学素子に入射した光であって、光学機能面より外側の面で内部反射することによりゴースト等を発生させる光が光学機能面より外側の面に形成された粗面により散乱されるので、ゴースト等の発生が抑制される。また、かかる粗面が設けられた光学素子により光学ユニットが構成されるので、光学ユニットにおけるゴースト等の発生が抑制される。
【発明の効果】
【００１６】
以上説明したように、本発明によれば、ゴースト等の発生を抑制することができる、光学素子および光学ユニットを提供することができる。
【発明を実施するための最良の形態】
【００１７】
以下に、添付した図面を参照しながら、本発明の好適な実施形態について詳細に説明する。なお、本明細書および図面において、実質的に同一の機能を有する構成要素については、同一の符号を付することにより重複説明を省略する。
【００１８】
まず、本発明の第１の実施形態に係る光学ユニットについて説明する。図１は、本発明の第１の実施形態に係る光学ユニットの要部を示す断面図である。なお、図１（ａ）、（ｃ）は、意図しない光の入射によりゴースト等が生じる場合を示し、図１（ｂ）、（ｄ）は、光学機能面より外側の面１５ｂ、２５ｂに粗面１９、２９が形成されることによりゴースト等の発生が抑制される場合を示す。
【００１９】
図２および図３は、図１に示した光学素子を示す拡大断面図である。なお、図２（ａ）、（ｂ）が第１の光学素子１０、１５を各々に示し、図３（ａ）、（ｂ）が第２の光学素子２０、２５を各々に示す。
【００２０】
図１に示すように、本実施形態に係る光学ユニットは、フランジ部１２、１７、２２、２７を有する第１の光学素子１０、１５および第２の光学素子２０、２５を含む。第１および第２の光学素子１０、１５、２０、２５は、光軸Ｐを共有するように、絞り板１ａを介して光学ユニットの保持部４に保持されている。また、光学素子１０、１５、２０、２５の後側には、光学素子１０、１５、２０、２５を通過した光を受光して光電変換するための撮像素子７が配置される。
【００２１】
光学素子１０、１５、２０、２５は、例えば光学素子１０についてみれば、図２（ａ）に示すように、光学機能面１０ａと、フランジ部１２の面１２ａ〜１２ｃを含む光学機能面１０ａより外側の面１０ｂとで構成される。なお、図２および図３に示す面構成は、あくまでも例示にすぎず、かかる場合に限定されるものではない。また、以下の説明では、フランジ部１２の面が光軸Ｐに対向する前面１２ａおよび背面１２ｃ、ならびに光軸Ｐに略平行な側面１２ｂ等で構成される場合を想定するが、フランジ部１２の面構成は係る場合に限定されるものではない。
【００２２】
図１（ａ）には、第１の光学素子１０に起因してゴースト等が生じる場合が示される。図１（ａ）に示すように、第１の光学素子１０に入射した大きな入射角を伴う光は、光学機能面より外側の面１０ｂ、特にフランジ部１２の背面、側面および前面１２ａ〜１２ｃで内部反射を繰返し、第１の光学素子１０から出射し、第２の光学素子２０を通過し、撮像素子７に到達する。これにより、本来の像とともに、第１の光学素子１０の光学機能面より外側の面１０ｂによる内部反射を介した光が偽りの像または多重の像として結像することで、ゴースト等が生じる。
【００２３】
また、図１（ｃ）には、第２の光学素子２０に起因してゴースト等が生じる場合が示される。図１（ｃ）に示すように、第１の光学素子１０に入射した大きな入射角を伴う光は、第１の光学素子１０を通過し、第２の光学素子２０に入射し、光学機能面より外側の面２０ｂ、特にフランジ部２２の背面、側面および前面２２ａ〜２２ｃで内部反射を繰返し、第２の光学素子２０から出射し、撮像素子７に到達する。これにより、本来の像とともに、第２の光学素子２０の光学機能面より外側の面２０ｂによる内部反射を介した光が撮像素子７に到達することで、ゴースト等が生じる。
【００２４】
光学素子は、射出成形法やプレス成形法等により成形される。射出成形法とは、型締、射出、保圧、冷却、可塑化、型開の各工程により、成形素材から光学素子を成形する成形法である。射出成形法では、例えば、成形型を射出圧以上の圧力で締付け、成形型内に成形素材を注入し、成形素材に印加された圧力を維持し、成形素材を冷却・硬化させることにより所望の光学素子が成形される。また、プレス成形法とは、光学機能転写面を含む転写面を備えた一対の成形型と、成形型が内挿される胴型とにより、成形素材から光学素子を成形する成形法である。プレス成形法では、例えば、第１の成形型に成形素材を載置し、成形素材を加熱軟化した状態で第１および第２の成形型で加圧して転写面を転写し、転写を維持した状態で成形素材を冷却することにより所望の光学素子が成形される。ここで、光学素子用の成形素材としては、ガラス、プラスチック等の成形素材が用いられる。
【００２５】
本実施形態に係る光学ユニットを構成する光学素子の少なくともいずれかには、光学機能面より外側の面１５ｂ、２５ｂ、ここでは特に、フランジ部１７、２７の前面、背面および側面１７ａ〜１７ｃ、２７ａ〜２７ｃの少なくともいずれかに粗面１９、２９が形成されている。なお、図２および図３に示す光学素子１５、２５では、フランジ部１７、２７の背面１７ｃ、２７ｃにのみ粗面１９、２９が形成されている。また、粗面１９、２９は、光学機能面より外側の面１５ｂ、２５ｂの全てに形成されるようにしてもよく、光学機能面より外側の面１５ｂ、２５ｂの一部に形成されるようにしてもよい。
【００２６】
粗面の粗さは、粗面を設ける前のゴースト発生の程度、要求されるゴースト抑制の程度、および配置上の誤差等の条件により決定される。ここで、粗面１９、２９は、十点平均粗さ（Ｒｚ）で４μｍ〜２５μｍに形成することが望ましい。なお、特にフランジ面１７ａ〜１７ｃ、２７ａ〜２７ｃに粗面１９、２９が形成されることにより、光学素子１５、２５の配置上の誤差が生じることが懸念されるが、この程度の粗さの粗面では、配置上の誤差に影響を及ぼすこともない。これにより、光学機能面より外側の面１５ｂ、２５ｂに十分な粗さの粗面１９、２９が形成されるので、光学機能面より外側の面１５ｂ、２５ｂで内部反射する光が十分に散乱される。粗面１９、２９は、成形型の作成に際して、成形型の対応する転写面に予め形成されており、射出成形法やプレス成形法等による成形工程で、成形素材に光学機能面１５ａ、２５ａとともに転写される。出願人等の実証試験では、かかる精度を伴う粗面１９、２９を形成することにより、ゴースト現象の発生が良好に抑制されることが確認された。
【００２７】
図１（ａ）に示すように第１の光学素子１０に起因してゴースト等が生じる場合には、図２（ｂ）に示すような第１の光学素子１５が第１の光学素子１０（図３（ａ））の代わりに適用されることで、図１（ｂ）に示すようにゴースト等の発生が抑制される。すなわち、第１の光学素子１５に入射した大きな入射角を伴う光が光学機能面より外側の面１５ｂ、特にフランジ部１７の背面１７ｃに形成された粗面１９により散乱されるので、第１の光学素子１５のフランジ面１７ａ〜１７ｃによる内部反射を介した光が偽りの像または多重の像として結像せず、ゴースト等の発生が抑制される。
【００２８】
また、図１（ｃ）に示すように第２の光学素子２０に起因してゴースト等が生じる場合には、図３（ｂ）に示すような第２の光学素子２５が第２の光学素子２０（図４（ａ））の代わりに適用されることで、図１（ｄ）に示すようにゴースト等の発生が抑制される。すなわち、第１の光学素子１０に入射した大きな入射角を伴う光は、第１の光学素子１０を通過し、第２の光学素子２５に入射し、光学機能面より外側の面２５ｂ、特にフランジ部２７の背面２７ｃに形成された粗面２９により散乱されるので、第２の光学素子２５のフランジ面２７による内部反射を介した光が結像せず、ゴースト等の発生が抑制される。
【００２９】
なお、粗面１９、２９が形成される光学機能面より外側の面１５ｂ、２５ｂは、事前に実施される光学シミュレーション等により特定される。光学シミュレーションの結果に応じては、複数の光学素子（例えば、第１および第２の光学素子１５、２５）の複数の光学機能面より外側の面１５ｂ、２５ｂ（例えば、フランジ部１７、２７の背面、側面および前面１７ａ〜１７ｃ、２７ａ〜２７ｃ）に粗面が形成されるようにしてもよい。
【００３０】
以上のような本実施形態に係る光学ユニットによれば、光学素子１５、２５に入射した光であって、光学機能面より外側の面１５ｂ、２５ｂで内部反射することによりゴースト等を発生させる光が光学機能面より外側の面１５ｂ、２５ｂに形成された粗面１９、２９により散乱されるので、ゴースト等の発生が抑制される。また、かかる粗面１９、２９が形成された光学素子１５、２５により光学ユニットが構成されるので、光学ユニットにおけるゴースト等の発生が抑制される。よって、光学レンズ成形後の二次処理を要することなしに、ひいては製造工程の複雑化、製造コストの増加を生じることもなしに、ゴースト等の発生を抑制することができる光学ユニットを提供することができる。
【００３１】
図４は、本発明の第２の実施形態に係る光学ユニットの要部を示す断面図である。なお、図４（ａ）、（ｃ）、（ｅ）は、意図しない光の入射によりゴースト等が生じる場合を示し、図４（ｂ）、（ｄ）、（ｆ）は、光学機能面より外側の面３５ｂ、４５ｂ、５５ｂに粗面３９、４９、５９が形成されることによりゴースト等の発生が抑制される場合を示す。以下では、本実施形態に係る光学ユニットについて説明するが、第１の実施形態との重複部分についての説明は省略する。
【００３２】
図５〜図７は、図４に示した光学素子を示す拡大断面図である。なお、図５（ａ）、（ｂ）が第１の光学素子３０、３５を各々に示し、図６（ａ）、（ｂ）が第２の光学素子４０、４５を各々に示し、図７（ａ）、（ｂ）が第３の光学素子５０、５５を各々に示す。
【００３３】
図４に示すように、本実施形態に係る光学ユニットは、フランジ部３２、３７、４２、４７、５２、５７を有する第１の光学素子３０、３５、第２の光学素子４０、４５および第３の光学素子５０、５５を含む。第１、第２および第３の光学素子３０、３５、４０、４５、５０、５５は、光軸Ｐを共有するように、絞り板２ａ、２ｂを介して光学ユニットの保持部５に保持されている。また、光学素子３０、３５、４０、４５、５０、５５の後側には、光学素子３０、３５、４０、４５、５０、５５を通過した光を受光して光電変換するための撮像素子８が配置される。
【００３４】
光学素子３０、３５、４０、４５、５０、５５は、例えば光学素子３０についてみれば、図５（ａ）に示すように、光学機能面３０ａと、フランジ部３２の面３２ａ〜３２ｃを含む光学機能面３０ａより外側の面３０ｂとで構成される。なお、図５〜図７に示す面構成は、あくまでも例示にすぎず、かかる場合に限定されるものではない。また、以下の説明では、フランジ部３２の面が光軸Ｐに対向する前面３２ａおよび背面３２ｃ、ならびに光軸Ｐに略平行な側面３２ｂ等で構成される場合を想定するが、フランジ部３２の面構成は係る場合に限定されるものではない。
【００３５】
図４（ａ）、（ｃ）、（ｅ）には、第１、第２および第３の光学素子３０、４０、５０に各々に起因してゴースト等が生じる場合が示されており、いずれも入射光が光学機能面より外側の面３０ｂ、４０ｂ、５０ｂ、特にフランジ部３２、４２、５２の背面、側面および前面３２ａ〜３２ｃ、４２ａ〜４２ｃ、５２ａ〜５２ｃで内部反射を繰返し、光学機能面より外側の面３０ｂ、４０ｂ、５０ｂによる反射を介した光が撮像素子８に到達することで、ゴースト等が生じる。
【００３６】
本実施形態に係る光学ユニットを構成する光学素子の少なくともいずれかには、光学機能面より外側の面３５ｂ、４５ｂ、５５ｂ、ここでは特に、フランジ部３７、４７、５７の前面、背面および側面３７ａ〜３７ｃ、４７ａ〜４７ｃ、５７ａ〜５７ｃの少なくともいずれかに粗面３９、４９、５９が形成されている。なお、図５〜図７に示す光学素子３５、４５、５５では、フランジ部３７、４７、５７の背面３７ｃ、４７ｃ、５７ｃにのみ粗面３９、４９、５９が形成されている。
【００３７】
図４（ａ）に示すように第１の光学素子３０に起因してゴースト等が生じる場合には、図５（ｂ）に示すような第１の光学素子３５が第１の光学素子３０（図５（ａ））の代わりに適用されることで、図４（ｂ）に示すようにゴースト等の発生が抑制される。すなわち、第１の光学素子３５に入射した大きな入射角を伴う光は、第１の光学素子３５に入射し、光学機能面より外側の面３５ｂ、特にフランジ部３７の背面３７ｃに形成された粗面３９により散乱されるので、第１の光学素子３５のフランジ面３７ａ〜３７ｃによる内部反射を介した光が結像せず、ゴースト等の発生が抑制される。同様に、図４（ｃ）に示すように第２の光学素子４０に起因してゴースト等が生じる場合には、図６（ｂ）に示すような第２の光学素子４５が第２の光学素子４０（図６（ａ））の代わりに適用されることで、図４（ｄ）に示すようにゴースト等の発生が抑制される。また、図４（ｅ）に示すように第３の光学素子５０に起因してゴースト等が生じる場合には、図７（ｂ）に示すような第３の光学素子５５が第３の光学素子５０（図７（ａ））の代わりに適用されることで、図４（ｆ）に示すようにゴースト等の発生が抑制される。
【００３８】
なお、粗面３９、４９、５９が形成される光学機能面より外側の面３５ｂ、４５ｂ、５５ｂは、事前に実施される光学シミュレーション等により特定される。光学シミュレーションの結果に応じては、複数の光学素子（例えば、第１、第２および第３の光学素子３５、４５、５５）の複数の光学機能面より外側の面３５ｂ、４５ｂ、５５ｂ（例えば、フランジ部３７、４７、５７の背面、側面および前面３７ａ〜３７ｃ、４７ａ〜４７ｃ、５７ａ〜５７ｃ）に粗面が形成されるようにしてもよい。
【００３９】
以上のような本実施形態に係る光学ユニットによれば、第１の実施形態に係る光学ユニットと同様に、ゴースト等の発生を抑制することができる光学ユニットを提供することができる。
【００４０】
図８は、本発明の第３の実施形態に係る光学ユニットの要部を示す断面図である。なお、図８（ａ）、（ｃ）は、意図しない光の入射によりゴースト等が生じる場合を示し、図８（ｂ）、（ｄ）は、光学機能面より外側の面８５ｂ、９５ｂに粗面８９、９９が形成されることによりゴースト等の発生が抑制される場合を示す。以下では、本実施形態に係る光学ユニットについて説明するが、第１の実施形態との重複部分についての説明は省略する。
【００４１】
図９および図１０は、図８に示した光学素子を示す拡大断面図である。なお、図９（ａ）、（ｂ）が第３の光学素子８０、８５を各々に示し、図１０（ａ）、（ｂ）が第４の光学素子９０、９５を各々に示す。
【００４２】
図８に示すように、本実施形態に係る光学ユニットは、フランジ部６２、７２、８２、８７、９２、９７を有する第１の光学素子６０、第２の光学素子７０、第３の光学素子８０、８５および第４の光学素子９０、９５を含む。第１、第２、第３および第４の光学素子６０、７０、８０、８５、９０、９５は、光軸Ｐを共有するように、絞り板４ａ、４ｂ、４ｃを介して光学ユニットの保持部６に保持されている。また、光学素子６０、７０、８０、８５、９０、９５の後側には、光学素子６０、７０、８０、８５、９０、９５を通過した光を受光して光電変換するための撮像素子９が配置される。
【００４３】
光学素子６０、７０、８０、８５、９０、９５は、例えば光学素子８０についてみれば、図９（ａ）に示すように、光学機能面８０ａと、フランジ部８２の面８２ａ〜８２ｃを含む光学機能面８０ａより外側の面８０ｂとで構成される。なお、図９および図１０に示す面構成は、あくまでも例示にすぎず、かかる場合に限定されるものではない。また、以下の説明では、フランジ部８２の面が光軸Ｐに対向する前面８２ａおよび背面８２ｃ、ならびに光軸Ｐに略平行な側面８２ｂ等で構成される場合を想定するが、フランジ部８２の面構成は係る場合に限定されるものではない。
【００４４】
図８（ａ）、（ｃ）には、第３および第４の光学素子８０、９０に各々に起因してゴースト等が生じる場合が示されており、いずれも入射光が光学機能面より外側の面８０ｂ、９０ｂ、特にフランジ部８２、９２の背面、側面および前面８２ａ〜８２ｃ、９２ａ〜９２ｃで内部反射を繰返し、光学機能面より外側の面８０ｂ、９０ｂによる反射を介した光が撮像素子９に到達することで、ゴースト等が生じる。
【００４５】
本実施形態に係る光学ユニットを構成する第３および第４の光学素子の少なくともいずれかには、光学機能面より外側の面８５ｂ、９５ｂ、ここでは特に、フランジ部８７、９７の前面、背面および側面８７ａ〜８７ｃ、９７ａ〜９７ｃの少なくともいずれかに粗面８９、９９が形成されている。なお、図９および図１０に示す光学素子８５、９５では、フランジ部８７、９７の背面８７ｃ、９７ｃにのみ粗面８９、９９が形成されている。
【００４６】
図８（ａ）に示すように第３の光学素子８０に起因してゴースト等が生じる場合には、図９（ｂ）に示すような第３の光学素子８５が第３の光学素子８０（図９（ａ））の代わりに適用されることで、図８（ｂ）に示すようにゴースト等の発生が抑制される。すなわち、第１の光学素子８５に入射した大きな入射角を伴う光は、第１および第２の光学素子６０、７０を通過し、第３の光学素子８０に入射し、光学機能面より外側の面８５ｂ、特にフランジ部８７の背面８７ｃに形成された粗面８９により散乱されるので、第３の光学素子８５のフランジ面８７ａ〜８７ｃによる内部反射を介した意図しない光が結像せず、ゴースト等の発生が抑制される。同様に、図８（ｃ）に示すように第４の光学素子９０に起因してゴースト等が生じる場合には、図１０（ｂ）に示すような第４の光学素子９５が第４の光学素子９０（図１０（ａ））の代わりに適用されることで、図８（ｄ）に示すようにゴースト等の発生が抑制される。
【００４７】
なお、粗面８９、９９が形成される光学機能面より外側の面８５ｂ、９５ｂは、事前に実施される光学シミュレーション等により特定される。光学シミュレーションの結果に応じては、複数の光学素子（例えば、第３および第４の光学素子８５、９５）の複数の光学機能面より外側の面８５ｂ、９５ｂ（例えば、フランジ部８７、９７の背面、側面および前面８７ａ〜８７ｃ、９７ａ〜９７ｃ）に粗面が形成されるようにしてもよい。
【００４８】
以上のような本実施形態に係る光学ユニットによれば、第１および第２の実施形態に係る光学ユニットと同様に、ゴースト等の発生を抑制することができる光学ユニットを提供することができる。
【００４９】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【００５０】
例えば、上記実施形態の説明では、光学機能面より外側の面１５ｂ、２５ｂ、３５ｂ、４５ｂ、５５ｂ、８５ｂ、９５ｂ、特にフランジ面１７、２７、３７、４７、５７、８７、９７に粗面１９、２９、３９、４９、５９、８９、９９が形成される場合について説明したが、本発明の適用はかかる場合に限定されるものではない。すなわち、光学機能面より外側の面１５ｂ、２５ｂ、３５ｂ、４５ｂ、５５ｂ、８５ｂ、９５ｂであって、フランジ面１７、２７、３７、４７、５７、８７、９７より外側の面に粗面が形成される場合についても同様に適用可能なものである。
【図面の簡単な説明】
【００５１】
【図１】本発明の第１の実施形態に係る光学ユニットの要部を示す断面図である。
【図２】図１に示した光学素子を示す拡大断面図である。
【図３】図１に示した光学素子を示す拡大断面図である。
【図４】本発明の第２の実施形態に係る光学ユニットの要部を示す断面図である。
【図５】図４に示した光学素子を示す拡大断面図である。
【図６】図４に示した光学素子を示す拡大断面図である。
【図７】図４に示した光学素子を示す拡大断面図である。
【図８】本発明の第３の実施形態に係る光学ユニットの要部を示す断面図である。
【図９】図８に示した光学素子を示す拡大断面図である。
【図１０】図８に示した光学素子を示す拡大断面図である。
【符号の説明】
【００５２】
１０、１５、３０、３５、６０    第１の光学素子
２０、２５、４０、４５、７０    第２の光学素子
５０、５５、８０、８５    第３の光学素子
９０、９５    第４の光学素子
１２、１７、２２、２７、３２、３７、４２、４７、５２、５７、６２、７２、８２、８７、９２、９７    フランジ部
１０ａ、１５ａ、２０ａ、２５ａ、３０ａ、３５ａ、４０ａ、４５ａ、５０ａ、５５ａ、８０ａ、８５ａ、９０ａ、９５ａ    光学機能面
１０ｂ、１５ｂ、２０ｂ、２５ｂ、３０ｂ、３５ｂ、４０ｂ、４５ｂ、５０ｂ、５５ｂ、８０ｂ、８５ｂ、９０ｂ、９５ｂ    光学機能面より外側の面
１９、２９、３９、４９、５９、８９、９９    粗面
【図１】
2008175991.tif 000003
【図２】
2008175991.tif 000004
【図３】
2008175991.tif 000005
【図４】
2008175991.tif 000006
【図５】
2008175991.tif 000007
【図６】
2008175991.tif 000008
【図７】
2008175991.tif 000009
【図８】
2008175991.tif 000010
【図９】
2008175991.tif 000011
【図１０】
2008175991.tif 000012